(57)【要約】【課題】カメラ機能を備える電子装置に関し、盗撮等の不適正撮影の防止機能を強化した電子装置を提供する。【解決手段】カメラ機能を備える対向側の電子装置（携帯電話機４０Ａ）から送信される撮影許可を求める報知情報又は撮影を表す報知情報を受信部（携帯電話機４０ＢのBluetooth 無線送受信部１００）で受信し、その報知情報を情報提示部（スピーカ６８、ＬＣＤ８０）に提示することにより、撮影の意図を電子装置により受信者側に報知し、受信者側の盗撮回避の契機としている。【選択図】図２８
2006295958.tif 000002
【特許請求の範囲】
【請求項１】
カメラ機能を備える対向側の電子装置から送信される撮影許可を求める報知情報又は撮影を表す報知情報を受信する受信部と、
この受信部が受信した前記報知情報を提示する情報提示部と、
を備えた構成とした電子装置。
【発明の詳細な説明】
【技術分野】
【０００１】
本発明は、カメラ付き携帯電話機、ディジタルカメラ等の電子装置に関し、撮影時にシャッター音を発生させる等により盗撮等を防止する不適正撮影の防止機能の無力化を回避した電子装置に関する。
【０００２】
ディジタルカメラの普及とともに、カメラ付き携帯電話機、カメラ機能を備える情報処理装置等の各種の電子装置が普及している。カメラ付き携帯電話機は、電話機能、カメラ機能等を備え、単体でこれら２つの機能が使用できる上、撮影された画像の記録や、画像の編集、その画像の送受信等、通話、撮影及び画像処理等の相乗的な機能がその利便性を高めている。そして、このようなカメラ付き携帯電話機では、人のプライバシー保護等の観点から、静止画キャプチャー時（撮影開始時）に報知音として例えば、シャッター音を発生させ、撮影行為を周囲に知らせている。このような報知音による盗撮防止機能は、周囲に撮影行為を報知することにより、悪意の撮影者に盗撮行為を思い止まらせる契機を与えるものである。
【背景技術】
【０００３】
カメラ付き携帯電話機は例えば、図１に示す基本構成を備えている。図１は、カメラ付き携帯電話機におけるカメラ機能部の概要を示している。この携帯電話機２において、レンズ４を通して結像された画像はカメラセンサ６で検出される。アナログ信号である画像はアナログ・ディジタル変換器（ＡＤＣ：Analog Digital Converter）８を通してディジタル信号に変換された後、プロセッサ１０に加えられる。この画像は、このプロセッサ１０からバス１２を通して画像表示器であるＬＣＤ（Liquid Crystal Display：液晶ディスプレイ）１４に表示される。この種の携帯電話機では、その電話機本体に設けられたシャッターボタンの半押し状態で、ファインダー上の画像の取込み準備が行われ、シャッターボタンの全押し状態で、撮影動作の完了となる。撮影された画像は、シャッター操作に連動してＲＡＭ（Random Access Memory) １６に保存される。このとき、シャッターボタンを押し切ったとき、ＦＬＡＳＨ（flash memory）１８から読み出されたシャッター音情報がプロセッサ１０によりシャッター音信号に変換されて出力され、増幅器（ＳＰＫ−ＡＭＰ：Speaker-Amplifier ）２０に加えられる。増幅器２０で増幅されたシャッター音信号がスピーカ２２からシャッター音として発せられる。このシャッター音が撮影者や被撮影者へのシャッター操作の報知となる。
【０００４】
この携帯電話機２において、この撮影動作を図２を参照して説明する。図２はその撮影時の動作を示している。カメラ動作モードにおいて、ファインダーモード（ステップＳ１）では、レンズ４を通して捉えられた被写体を表す画像がＬＣＤ１４に表示される。ここで、このカメラ動作モードを終了するか否かを判定し（ステップＳ２）、例えば、電話モードに移行させると、カメラ動作モードは終了する。カメラ動作モードを維持すると、キャプチャーモードに移行するか否かが判定される（ステップＳ３）。この状態でシャッターボタンを半押し状態にすると、キャプチャーモード（ステップＳ４）となり、撮影か否かを判定する（ステップＳ５）。即ち、シャッターボタンを半押し状態から全押し状態に移行させると、撮影動作が完了し、ＬＣＤ１４に表示されていた画像が静止画像として取り込まれる。そして、シャッター操作を表すシャッター音が出力され（ステップＳ６）、撮影によって取り込まれる画像データがＲＡＭ１６に保存され（ステップＳ７）、ファインダーモード（ステップＳ１）に戻る。
【０００５】
このような携帯電話機２において、静止画像キャプチャー時に発せられるシャッター音は無条件に発音されているだけであり、周囲の者が撮影行為に気付いたとしても、その撮影行為後であって、撮影行為の意図と無関係に画像が保存されてしまう。しかも、シャッター音は電話機本体に内蔵されているスピーカ２２から発せられる構成であり、悪意のユーザがスピーカ２２の入力側の配線２４を切断する等、携帯電話機２を容易に改造してシャッター音の発生を阻止するおそれがある。
【０００６】
このように従来のカメラ機能を有する電子装置の携帯性及び利便性を悪用して悪意あるユーザが容易に盗撮防止機能を無力化し、盗撮行為等の反社会的行為に及ぶおそれがある。しかも、画像は容易に消去可能であるため、盗撮の証拠が残らないという問題もある。
【０００７】
また、このような盗撮防止機能に関し、例えば、特開平７−１７５１０５号公報（特許文献１）に開示された消音装置付きカメラは、カメラの作動音を消去して被撮影者や周囲の人々に気遣うことなく撮影可能にしたものであり、盗撮に悪用される危険性がある。
【０００８】
また、特開平１０−３１２６５号公報（特許文献２）に開示された盗撮防止装置は、リモートコントロールによる撮影機能の悪用を防止するため、撮影時、撮影者の発意とは無関係に警告音を発するようにしたものである。しかし、この盗撮防止装置においても、警告音発生部とスピーカとの接続線を切断すると、その警告音の発生を阻止することができ、盗撮防止機能を無力化するおそれがある。
【０００９】
また、特開２００２−２９０８１８号公報（特許文献３）に開示された携帯端末は、その本体を不自然な角度に傾けて撮像することを禁止するものである。盗撮が常に不自然な角度で撮影されるとは限らないし、撮影角度で盗撮行為を判定することは、正常な撮影を妨げるおそれがある。
【特許文献１】特開平７−１７５１０５号公報
【特許文献２】特開平１０−３１２６５号公報
【特許文献３】特開２００２−２９０８１８号公報
【発明の開示】
【発明が解決しようとする課題】
【００１０】
本発明は、既述した従来技術の問題点を解決した、カメラ機能を備える電子装置を提供することを目的とする。
【００１１】
より詳細な本発明の目的は、カメラ機能を備える電子装置による盗撮等の不適正撮影の防止機能を強化させることにある。
【００１２】
換言すれば、本発明の目的は、不適正撮影の防止機能を強化し、カメラ機能を備える電子装置による盗撮等の不適正撮影を思い止まらせる契機となり得る機能を強化することにある。
【課題を解決するための手段】
【００１３】
上記目的を達成するため、本発明の電子装置は、カメラ機能を備える対向側の電子装置から送信される撮影許可を求める報知情報又は撮影を表す報知情報を受信する受信部と、この受信部が受信した前記報知情報を提示する情報提示部とを備えた構成としている。撮影許可を求めることを表す上記報知情報が、電波、音波又は光等を伝送媒体とする報知信号として送信される場合には、その報知信号を受信部で受信し、その報知信号により、シャッター操作等、撮影を表す情報を情報提示部に音声や画像によって提示する構成とすれば、上記目的が達成される。即ち、撮影報知が可能になる。そして、この場合、この電子装置では、対向する電子装置からの撮影情報を受信し、それを提示する構成であればよく、カメラ機能を備える構成である必要はないが、カメラ機能を備えていてもよい。
【発明の効果】
【００１４】
以上のように、本発明によれば、カメラ機能を備える電子装置において、盗撮等の不適正撮影の防止機能を強化できるとともに、断線等の改造による防止機能の無力化を防止できるとともに、不適正撮影防止機能のセキュリティ性を高めた電子装置を実現することができる。
【００１５】
本発明の他の目的、特徴及び利点は、添付図面及び各実施形態を参照することにより、一層明瞭となるであろう。
【発明を実施するための最良の形態】
【００１６】
（第１の実施形態）
【００１７】
本発明の電子装置は、カメラ付き携帯電話機、カメラ付き情報処理端末、ディジタルカメラ、各種の情報処理装置等を包含する。斯かる電子装置において、第１の実施形態では、カメラ機能を備える電子装置について、撮影報知部がカメラ動作モードを表す報知情報を発し、情報検出部がその報知情報を検出し、判定部が報知情報を利用し、撮影を許可するか否かを判定する構成としたものである。本発明において、判定の対象である「撮影の許可」又は「撮影の禁止」とは、撮影画像の表示から記憶部への保存の何れかの段階又は全てを指すものである。
【００１８】
図３は、本発明の電子装置の第１の実施形態として、携帯電話機を示している。この携帯電話機４０において、制御部４２は、撮影許可又は禁止の制御、画像の取込み制御、撮影の報知情報の出力制御、報知情報の収集制御、画像の保存制御又は消去制御等、各種の情報処理や制御を行う。この制御部４２において、プロセッサ４４は、ＣＰＵ（Central Processing Unit ）等からなる情報処理部であり、画像の表示制御、画像の保存制御や消去制御等、画像処理部としての機能の他、各種の制御を実行する。シャッター部４６は、シャッターボタン４８の操作を検出し、この場合、その半押し状態及び全押し状態を検出する。この検出出力はプロセッサ４４に加えられ、シャッターボタン４８の半押し状態でキャプチャーモードとなり、全押し状態で撮影処理が実行される。コーデック（ＣＯＤＥＣ：Compression/Decompression ）部４９は、報知情報を記憶する記憶部としての記憶装置５０のＦＬＡＳＨ（flash memory）５２から読み出された原音情報を音声信号に再生させる復号化手段であって、この音声信号は撮影の報知情報として撮影報知部５４に出力される。ＦＬＡＳＨ５２には撮影の報知に用いられる報知情報が格納され、この場合、報知情報として例えば、シャッター音を表す原音情報が格納されている。比較部５６はＦＬＡＳＨ５２からバス５７を通してプロセッサ４４に読み出された報知情報としての原音と、情報検出部５８の検出情報である検出音とを比較し、その比較結果として検出音が原音と一致しているか否かを表す比較結果を出力する。画像を保存するか否かを判定する判定部としての画像出力判定部６０は、報知情報を利用し、即ち、比較部５６の比較結果を表す出力を利用し、カメラセンサ６２から得られている画像の保存を許可するか、その保存を禁止するかを表す出力をプロセッサ４４に加える。画像の保存を許可する出力が得られたとき、その画像は、バス５７を通して画像記憶部でもある記憶装置５０の読書き可能な記憶素子であるＲＡＭ（Random Access Memory）５３に保存される。
【００１９】
撮影報知部５４は、シャッター操作に基づき、撮影報知として報知情報を発し、この報知情報として例えば、シャッター音を発生する。この実施形態では、コーデック部４９から出力された原音をディジタル・アナログ変換器（ＤＡＣ： Digital Analog Converter ）６４によりアナログ信号に変換した後、増幅器（ＳＰＫ−ＡＭＰ：Speaker-Amplifier ）６６で増幅し、スピーカ６８から撮影の報知情報としてシャッター音を再生させる。また、情報検出部５８は、撮影報知部５４から発せられた報知情報を検出し、その検出情報を比較部５６に加える。この場合、この情報検出部５８は、マイクロホン７０でスピーカ６８から発せられたシャッター音を検出し、その検出信号を増幅器（ＭＩＣ−ＡＭＰ：Microphone-Amplifier）７２で増幅し、アナログ・ディジタル変換器（ＡＤＣ：Analog Digital Converter）７４によりディジタル信号に変換した後、比較部５６に加える。
【００２０】
そして、カメラセンサ６２には、カメラ動作モードにおいて、被写体の画像がレンズ７６を通して結像され、その画像が検出される。この画像は、アナログ信号であるため、処理の便宜上、アナログ・ディジタル変換器（ＡＤＣ）７８によりディジタル信号に変換されてプロセッサ４４に加えられ、バス５７を通して画像表示部として例えば、ＬＣＤ（Liquid Crystal Display）８０に出力されて表示される。
【００２１】
この第１の実施形態に係る携帯電話機について、撮影時の撮影制御方法及び撮影制御プログラムの一例を図４を参照して説明する。図４は、カメラ撮影に係る撮影制御方法及びそのプログラムの一例であるフローチャートを示している。
【００２２】
カメラ動作モードに移行させると、ファインダーモードが実行され（ステップＳ１１）、カメラセンサ６２にレンズ７６を通して結像している画像がＬＣＤ８０に表示される。ここで、カメラ動作モードを維持するか終了させるかを判定し（ステップＳ１２）、このカメラ機能付き携帯電話機では、例えば、電話モードへ移行させると、このカメラ動作モードが終了する。
【００２３】
また、カメラ動作モードが維持される場合には、キャプチャーモードに移行するか否かを判定する（ステップＳ１３）。この場合、シャッターボタン４８を半押し状態とすると、キャプチャーモードに移行する（ステップＳ１４）。この状態で、シャッターボタン４８の操作を打ち切ると、ファインダーモード（ステップＳ１１）に戻る。
【００２４】
キャプチャーモード（ステップＳ１４）では、ファインダーの画像が固定され、撮影か否かを判定する（ステップＳ１５）。即ち、シャッターボタン４８を全押し状態としたとき、撮影動作としてシャッター操作が完了し、撮影報知部５４のスピーカ６８からシャッター音が出力される（ステップＳ１６）。この場合、このシャッター操作において、一回の操作で全押し状態とする場合には、その途上で半押し状態を通過し、途上の半押し状態でキャプチャーモードを通過し、撮影が行われる（ステップＳ１３〜１６）。
【００２５】
シャッター音は、マイクロホン７０に集音されて検出され、原音と比較される（ステップＳ１７）。即ち、シャッター音がディジタル信号に変換されて比較部５６に加えられ、ＦＬＡＳＨ５２から読み出されている原音と比較される。このシャッター音と原音は、周波数成分又はレベル、又はこれら双方を比較する。この比較結果により、撮影を許可するか否かが画像出力判定部６０で判定される（ステップＳ１８）。比較結果が一定の範囲内、シャッター音と原音の差分情報が一定範囲であれば、撮影を許可する判定をする。この判定結果により、撮影が許可された場合には、画像データを保存とし、ＲＡＭ５３に保存し（ステップＳ１９）、ファインダーモード（ステップＳ１１）に戻る。また、判定結果により撮影を禁止する場合には、画像の保存を禁止し、ファインダーモード（ステップＳ１１）に戻る。
【００２６】
以上説明したように、この第１の実施形態では、カメラ動作モードにおいて、報知情報であるシャッター音により、撮影が許可された場合には、画像をＲＡＭ５３に保存させ、撮影が禁止される場合には、その画像を消去する。カメラ動作モードにおいて、報知情報の検出により、撮影を許可するか否かを判定するので、不適正撮影の防止機能が強化され、悪意の撮影者による不適正撮影を思い止まらせる契機となる等、不適正撮影の防止を図ることができる。
【００２７】
この第１の実施形態では、撮影の許可として画像をＲＡＭ５３に保存しているが、報知情報を利用して画像表示を許可するか否かを判定し、撮影を許可する場合にはＬＣＤ８０に画像を表示し、撮影を許可しない場合には、その画像表示を禁止するようにしてもよい。このようにしても、不適正撮影の防止機能を強化することができる。
【００２８】
第１の実施形態では、報知情報としてシャッター音を用いているが、本発明における報知情報としての音には、メロディ、楽器音、動物の鳴き声、人の音声メッセージ等、各種の音情報を用いることができ、シャッター音に限定されるものではない。
【００２９】
また、この第１の実施形態の携帯電話機４０において、情報検出部５８及び比較部５６の処理（図４に示すフローチャートのステップＳ１７の処理）は、例えば、図５に示すように、検出した報知情報であるシャッター音の周波数成分の比較を行い、この比較結果を判定に用いることができる。マイクロホン７０にシャッター音が検出されると、その入力信号の周波数成分を検出し、その周波数を演算し（ステップＳ１７０１）、その周波数パターンを検出する（ステップＳ１７０２）。この場合、シャッター音を構成する周波数範囲で周波数成分を検出し、周波数範囲は、予め原音から特定する。この周波数成分の検出により、シャッター音の周波数パターンを知ることができる。そして、比較データとして原音パターンと入力信号パターンとを比較し（ステップＳ１７０３）、この比較により、両者が一致又は同等であるか否かを知ることができる。この比較結果を判定し（ステップＳ１７０４）、ステップＳ１８（図４）に戻る。この判定結果を画像保存の判定に用いれば、信頼性の高い処理が可能になる。
【００３０】
また、この第１の実施形態の携帯電話機４０において、情報検出部５８及び比較部５６の処理（図４に示すフローチャートのステップＳ１７の処理）は、例えば、図６に示すように、検出した報知情報であるシャッター音のレベル比較を行い、この比較結果を判定に用いることができる。マイクロホン７０の入力信号レベルを検出し（ステップＳ１７１１）、この場合、入力信号から振幅情報（振幅パターン）を抽出する。次に、比較データとして原音パターンと入力信号パターンとを比較する（ステップＳ１７１２）。この場合、入力信号の振幅パターンと、抽出した原音の振幅パターンとを比較する。この比較により、両者が一致又は同等であるか否かを知ることができる。この比較結果を判定し（ステップＳ１７１３）、ステップＳ１８（図４）に戻る。この判定結果を画像保存の判定に用いれば、信頼性の高い処理が可能になる。
【００３１】
また、図５に示す周波数比較又は図６に示すレベル比較の何れか一方を用いてもよいが、これら周波数比較及びレベル比較の双方を用いてもよく、これらを併用した処理では、検出した報知情報を用いることにより、例えば、シャッター音の認識率を高めることができ、画像保存の判定の信頼性をより高めることが可能になる。
【００３２】
（第２の実施形態）
【００３３】
本発明の第２の実施形態は、カメラ機能を備える電子装置であって、画像を第１の記憶部に一時的に格納し、撮影が許可される場合に、その画像を第２の記憶部に保存するようにした構成である。報知情報が検出されない場合には、第１の記憶部の画像を消失させて、第１の記憶部から画像を出力すること、即ち、第２の記憶部への保存を禁止する構成としたものである。
【００３４】
図７は、本発明の電子装置の第２の実施形態である携帯電話機を示している。この携帯電話機４０は、第１の実施形態に係る携帯電話機４０において、記憶装置５０の第１の記憶部としてのフレームバッファ８２が付加されたものである。この実施形態の記憶装置５０は、図８に示すように、第１の記憶部としてフレームバッファ８２、第２の記憶部としてＲＡＭ５３とともに、ＦＬＡＳＨ５２で構成されている。フレームバッファ８２は、制御部４２に設置された例えば、ＲＡＭ等で構成され、カメラセンサ６２の撮影画像がＡＤＣ７８を介して加えられ、その画像の一時的な保存に用いられる。この実施形態では、ＡＤＣ７８からの画像入力をプロセッサ４４に加えているが、破線で示すように、フレームバッファ８２にＡＤＣ７８の画像入力を加えて格納するとともに、このフレームバッファ８２を介してプロセッサ４４に加えるようにしてもよい。その構成は、第１の実施形態（図３）と同一であるので、同一符号を付して各部分の説明を省略する。
【００３５】
この第２の実施形態に係る携帯電話機４０について、撮影時の処理動作を図９を参照して説明する。図９は、盗撮防止に関する撮影制御方法及びそのプログラムの一例であるフローチャートを示している。
【００３６】
カメラ動作モードに移行させると、ファインダーモードが実行され（ステップＳ２１）、画像がＬＣＤ８０に表示される。ここで、カメラ動作モードを維持するか終了させるかを判定する（ステップＳ２２）。
【００３７】
また、カメラ動作モードが維持される場合には、キャプチャーモードに移行するか否かを判定する（ステップＳ２３）。この場合、シャッターボタン４８を半押し状態とすると、キャプチャーモードに移行し（ステップＳ２４）、この状態で、シャッターボタン４８の操作を打ち切ると、ファインダーモード（ステップＳ２１）に戻る。
【００３８】
キャプチャーモード（ステップＳ２４）を経て、撮影か否かを判定する（ステップＳ２５）。シャッターボタン４８を全押し状態としたとき、撮影動作としてシャッター操作が完了し、撮影報知部５４のスピーカ６８からシャッター音が出力される（ステップＳ２６）。このシャッター操作において、一回の操作で全押し状態とする場合には、その途上で半押し状態を通過し、途上の半押し状態でキャプチャーモードを通過し、撮影処理が行われる（ステップＳ２３〜２６）。そして、画像データは、フレームバッファ８２に一時的に格納される（ステップＳ２７）。
【００３９】
シャッター音は、マイクロホン７０に集音されて検出され、原音と比較される（ステップＳ２８）。即ち、シャッター音がディジタル信号に変換されて比較部５６に加えられ、ＦＬＡＳＨ５２から読み出されている原音と比較される。このシャッター音と原音は、周波数成分又はレベル、又はこれら双方を比較する。この比較結果により、撮影を許可するか否かが画像出力判定部６０で判定される（ステップＳ２９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存し（ステップＳ３０）、フレームバッファ８２の画像データを消去し（ステップＳ３１）、ファインダーモード（ステップＳ２１）に戻る。また、判定結果により、撮影を禁止する場合にも、フレームバッファ８２の画像データを消去し（ステップＳ３１）、ファインダーモード（ステップＳ２１）に戻る。
【００４０】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去するので、不適正撮影の防止機能の強化を図ることができる。
【００４１】
この場合、この第２の実施形態に係る携帯電話機４０において、報知情報に光を使用して撮影を許可するか否か、即ち、第１の記憶部としてフレームバッファ８２に格納した画像をＲＡＭ５３に保存するか否かを判定する構成としてもよい。
【００４２】
（第３の実施形態）
【００４３】
本発明の電子装置の第３の実施形態は、カメラ機能を備える電子装置であって、撮影報知部からカメラ動作モードを表す報知情報として光を発し、情報検出部がこの光を検出し、判定部はその検出光を利用し、撮影を許可するか否かを判定する構成としたものであり、第１の実施形態の報知情報の音を光に代えた構成である。
【００４４】
図１０は、本発明の電子装置の第３の実施形態である携帯電話機を示している。この携帯電話機４０の制御部４２では、撮影報知部５４から発生する報知情報に光を用いており、その光源としてフォトライト８４が設置され、発光動作を切り換える手段としてスイッチ部８６が設置されている。そこで、情報検出部５８には、フォトライト８４の光を受光する光センサ８８が設置され、この光センサ８８の受光出力が持つ受光レベルを検出するため、レベル検出部としての光パワーメータ（optical power meter ）９０が設置されている。ＦＬＡＳＨ５２には光の比較データが格納され、この比較データが比較部５６の比較処理に用いられる。比較部５６では、ＦＬＡＳＨ５２から所定値である比較データと、情報検出部５８の検出情報である検出光とが比較される。その比較結果が一定範囲内であれば、画像出力判定部６０が撮影を許可する判定結果をプロセッサ４４に入力し、それ以外の場合には撮影を禁止する判定結果をプロセッサ４４に入力する。その他の構成は、第１の実施形態（図３）と同一であるので、同一符号を付して説明を省略する。
【００４５】
この第３の実施形態に係る携帯電話機４０について、撮影時の処理動作を図１１を参照して説明する。図１１は、盗撮防止に関する撮影制御方法及びそのプログラムの一例であるフローチャートを示している。
【００４６】
カメラ動作モードに移行させると、ファインダーモードが実行され（ステップＳ４１）、カメラセンサ６２にレンズ７６を通して結像している画像がＬＣＤ８０に表示される。ここで、カメラ動作モードを維持するか終了させるかを判定し（ステップＳ４２）、このカメラ機能付き携帯電話機では、例えば、電話モードへ移行させると、このカメラ動作モードが終了する。
【００４７】
また、カメラ動作モードが維持される場合には、キャプチャーモードに移行するか否かを判定する（ステップＳ４３）。この場合、シャッターボタン４８を半押し状態とすると、キャプチャーモードに移行する（ステップＳ４４）。この状態で、シャッターボタン４８の操作を打ち切ると、ファインダーモード（ステップＳ４１）に戻る。
【００４８】
キャプチャーモード（ステップＳ４４）では、ファインダーの画像が固定され、撮影か否かを判定する（ステップＳ４５）。即ち、シャッターボタン４８を全押し状態としたとき、撮影動作としてシャッター操作が完了し、撮影報知部５４のフォトライト８４が発光する（ステップＳ４６）。この場合、このシャッター操作において、一回の操作で全押し状態とする場合には、その途上で半押し状態を通過し、その半押し状態でキャプチャーモードを通過し、撮影が行われる（ステップＳ４３〜４６）。
【００４９】
フォトライト８４の光は、光センサ８８に集光されて検出され、光パワーメータ９０でレベル変換された後、ＦＬＡＳＨ５２から読み出された比較データと比較される（ステップＳ４７）。この比較結果により、撮影を許可するか否かが画像出力判定部６０で判定される（ステップＳ４８）。比較結果が一定の範囲内、検出光と比較データの差分情報が一定範囲であれば、撮影を許可する判定をする。この判定結果により、撮影が許可された場合には、画像データを保存とし、その画像をＲＡＭ５３に保存し（ステップＳ４９）、ファインダーモード（ステップＳ４１）に戻る。また、判定結果により、撮影を禁止する場合には、画像の保存を禁止し、その画像データを消去した後、ファインダーモード（ステップＳ４１）に戻る。
【００５０】
以上説明したように、この第３の実施形態では、カメラ動作モードにおいて、報知情報に光を使用し、その光の検出により、撮影が許可された場合には、画像をＲＡＭ５３に保存させ、撮影が禁止される場合には、その画像を消去するので、不適正撮影の防止機能が強化され、悪意の撮影者による不適正撮影を思い止まらせる契機となる等、第１の実施形態と同様に、不適正撮影の防止を図ることができる。
【００５１】
この第３の実施形態においても、撮影の許可として画像をＲＡＭ５３に保存しているが、報知情報を利用して画像表示を許可するか否かを判定し、撮影を許可する場合にはＬＣＤ８０に画像を表示し、撮影を許可しない場合には、その画像表示を禁止するようにしてもよい。このようにしても、不適正撮影の防止機能の強化を図ることができる。
【００５２】
（第４の実施形態）
【００５３】
本発明の電子装置の第４の実施形態は、カメラ機能を備える電子装置であって、撮影報知部からカメラ動作モードを表す報知情報として光と音とを使用し、一方の情報検出部が音を検出し、他方の情報検出部が光を検出し、判定部はその検出音及び検出光を利用し、撮影を許可するか否かを判定する構成であり、第１及び第３の実施形態の機能を併用した構成である。
【００５４】
図１２は、本発明の電子装置の第４の実施形態である携帯電話機を示している。この携帯電話機４０では、カメラ動作モードの報知情報としてシャッター音を用いる第１の撮影報知部５４Ａ、この撮影報知部５４Ａに対応して報知情報を検出する第１の情報検出部５８Ａ、その報知情報として光を用いる第２の撮影報知部５４Ｂ、この撮影報知部５４Ｂに対応して報知情報を検出する第２の情報検出部５８Ｂを備え、制御部４２には第１及び第２の比較部５６Ａ、５６Ｂ、各比較部５６Ａ、５６Ｂの比較結果から撮影を許可するか否かを判定する画像出力判定部６０を備えている。撮影報知部５４Ａは第１又は第２の実施形態の撮影報知部５４（図３、図７）、撮影報知部５４Ｂは第３の実施形態の撮影報知部５４（図１０）、情報検出部５８Ａは第１又は第２の実施形態の情報検出部５８（図３、図７）、情報検出部５８Ｂは第３の実施形態の情報検出部５８（図１０）と同一の構成である。この場合、ＦＬＡＳＨ５２には２つの記憶部５２Ａ、５２Ｂが設定され、記憶部５２Ａにはシャッター原音、記憶部５２Ｂには光の比較データが格納されている。その他の構成は、第１ないし第３の実施形態と同一であり、同一符号を付してその説明を省略する。
【００５５】
この第４の実施形態に係る携帯電話機４０について、撮影時の処理動作を図１３を参照して説明する。図１３は、盗撮防止に関する撮影制御方法及びそのプログラムの一例であるフローチャートを示している。
【００５６】
カメラ動作モードに移行させると、ファインダーモードが実行され（ステップＳ５１）、カメラセンサ６２にレンズ７６を通して結像している画像がＬＣＤ８０に表示される。ここで、カメラ動作モードを維持するか終了させるかを判定する（ステップＳ５２）。
【００５７】
また、カメラ動作モードが維持される場合には、キャプチャーモードに移行するか否かを判定する（ステップＳ５３）。この場合、シャッターボタン４８を半押し状態とすると、キャプチャーモードに移行する（ステップＳ５４）。この状態で、シャッターボタン４８の操作を打ち切ると、ファインダーモード（ステップＳ５１）に戻る。
【００５８】
キャプチャーモード（ステップＳ５４）では、ファインダーの画像が固定され、撮影か否かを判定する（ステップＳ５５）。即ち、シャッターボタン４８を全押し状態としたとき、撮影動作としてシャッター操作が完了し、撮影報知部５４Ｂのフォトライト８４が発光する（ステップＳ５６）。この場合、このシャッター操作において、一回の操作で全押し状態とする場合には、その途上で半押し状態を通過し、途上の半押し状態でキャプチャーモードを通過し、撮影が行われる（ステップＳ５３〜５６）。
【００５９】
フォトライト８４の光は、光センサ８８に集光されて検出され、光パワーメータ９０のレベル検出の後、比較部５６Ｂに加えられ、ＦＬＡＳＨ５２から読み出された光の比較データと比較される（ステップＳ５７）。この比較結果により、撮影を許可するか否かが画像出力判定部６０で判定される（ステップＳ５８）。比較結果が一定の範囲内、検出光と比較データの差分情報が一定範囲であれば、撮影を許可する判定をし、それ以外の場合には、撮影を禁止し、ファインダーモード（ステップＳ５１）に戻る。この判定結果により、撮影が許可された場合には、撮影報知部５４Ａのスピーカ６８から報知情報としてシャッター音を出力する（ステップＳ５９）。
【００６０】
このシャッター音は、マイクロホン７０に集音されて検出され、原音と比較される（ステップＳ６０）。この場合、シャッター音がディジタル信号に変換されて比較部５６Ａに加えられ、ＦＬＡＳＨ５２から読み出されている原音と比較される。このシャッター音と原音は、周波数成分又はレベル、又はこれら双方を比較する。この比較結果により、撮影を許可するか否かが画像出力判定部６０で判定される（ステップＳ６１）。比較結果が一定の範囲内、シャッター音と原音の差分情報が一定範囲であれば、撮影を許可する判定をする。この判定結果により、撮影が許可された場合には、画像データの保存を許可し、画像をＲＡＭ５３に保存し（ステップＳ６２）、ファインダーモード（ステップＳ５１）に戻る。また、判定結果により、撮影を禁止する場合には、画像の保存を禁止し、ファインダーモード（ステップＳ５１）に戻る。
【００６１】
以上説明したように、この第４の実施形態では、カメラ動作モードにおいて、報知情報に光とシャッター音を使用し、シャッター操作により第１段階として発光させ、その検出光により、撮影が許可された場合にはシャッター音を出力し、その集音により、撮影が許可された場合には、画像をＲＡＭ５３に保存させ、撮影が禁止される場合には、その画像を消去するので、不適正撮影の防止機能が更に強化され、悪意の撮影者による不適正撮影を思い止まらせる契機となる等、不適正撮影の防止を図ることができる。
【００６２】
この場合、この第４の実施形態において、報知情報に光と音とを使用することにより、第２の実施形態（図７、図８及び図９）で説明したように、第１の記憶部としてフレームバッファ８２に格納した画像を第２の記憶部としてＲＡＭ５３に保存するか否かを判定する構成としてもよい。
【００６３】
また、この第４の実施形態において、撮影の許可として画像をＲＡＭ５３に保存しているが、報知情報を利用して画像表示を許可するか否かを判定し、撮影を許可する場合にはＬＣＤ８０に画像を表示し、撮影を許可しない場合には、その画像表示を禁止するようにしてもよい。このようにしても、不適正撮影の防止機能の強化を図ることができる。
【００６４】
（第５の実施形態）
【００６５】
本発明の第５の実施形態は、カメラ機能を備える電子装置であって、画像を第１の記憶部に一時的に格納し、撮影が許可される場合に、その画像を第２の記憶部に保存するようにした電子装置において、撮影を許可しないと判定されるとき、第１の記憶部に格納されている画像を改変して第２の記憶部に保存する構成としたものである。即ち、不適正画像を適正化して保存する構成である。
【００６６】
図１４は、本発明の電子装置の第５の実施形態である携帯電話機を示している。この第５の実施形態に係る携帯電話機４０では、第２の実施形態（図７）のＦＬＡＳＨ５２の記憶部５２Ａにシャッター原音、その記憶部５２Ｂにモザイク画像を格納したものであり、撮影に係る原画像に上記モザイク画像を重畳する画像処理部が例えば、制御部４２のプロセッサ４４によって構成される。その他の構成は、第２の実施形態と同一であるので、同一符号を付し、その説明を省略する。
【００６７】
この第５の実施形態に係る携帯電話機４０について、撮影時の処理動作を図１５を参照して説明する。図１５は、盗撮防止に関する撮影制御方法及びそのプログラムの一例であるフローチャートを示している。
【００６８】
この実施形態においても、カメラ動作モードに移行させると、ファインダーモードが実行され（ステップＳ７１）、画像がＬＣＤ８０に表示される。ここで、カメラ動作モードを維持するか終了させるかを判定する（ステップＳ７２）。
【００６９】
また、カメラ動作モードが維持される場合には、キャプチャーモードに移行するか否かを判定する（ステップＳ７３）。この場合、シャッターボタン４８を半押し状態とすると、キャプチャーモードに移行し（ステップＳ７４）、この状態で、シャッターボタン４８の操作を打ち切ると、ファインダーモード（ステップＳ７１）に戻る。
【００７０】
キャプチャーモード（ステップＳ７４）を経て、撮影か否かを判定する（ステップＳ７５）。シャッターボタン４８を全押し状態としたとき、撮影動作としてシャッター操作が完了し、撮影報知部５４のスピーカ６８からシャッター音が出力される（ステップＳ７６）。このシャッター操作において、一回の操作で全押し状態とする場合には、その途上で半押し状態を通過し、途上の半押し状態でキャプチャーモードを通過し、撮影処理が行われる（ステップＳ７３〜７６）。そして、画像データは、フレームバッファ８２に一時的に格納される（ステップＳ７７）。
【００７１】
シャッター音は、マイクロホン７０に集音されて検出され、原音と比較される（ステップＳ７８）。即ち、シャッター音がディジタル信号に変換されて比較部５６に加えられ、ＦＬＡＳＨ５２の記憶部５２Ａから読み出されているシャッター原音と比較される。このシャッター音と原音は、周波数成分又はレベル、又はこれら双方を比較する。この比較結果により、撮影を許可するか否かが画像出力判定部６０で判定される（ステップＳ７９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存し（ステップＳ８０）、画像データがＲＡＭ５３に格納されたとき、フレームバッファ８２の画像データは消去される（ステップＳ８２）。
【００７２】
また、判定結果により、撮影を禁止する場合には、ＦＬＡＳＨ５２の記憶部５２Ｂから読み出したモザイク画像をフレームバッファ８２の画像データに重畳させ、フレームバッファ８２の原画像データを改変させる（ステップＳ８１）。この改変画像をＲＡＭ５３に保存した後（ステップＳ８０）、フレームバッファ８２の改変画像を消去し（ステップＳ８２）、ファインダーモード（ステップＳ７１）に戻る。
【００７３】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去することなく、モザイク画像を重畳する等して改変させた後、記憶部として例えば、ＲＡＭ５３に保存させる。原画像を例えば、図１６に示す画像とすれば、モザイク画像を重畳させた改変画像は例えば、図１７に示すように変化させる。このような画像改変による保存を行えば、不適正撮影の防止機能の強化を図ることができるとともに、画像が保存されない場合にユーザが故障と誤認する不都合を防止できる。
【００７４】
この第５の実施形態に係る携帯電話機４０において、報知情報に光を使用して撮影を許可するか否か、即ち、第１の記憶部としてフレームバッファ８２に格納した画像をＲＡＭ５３に保存するか否かを判定する構成としてもよい。
【００７５】
（第６の実施形態）
【００７６】
本発明の第６の実施形態は、カメラ機能を備える電子装置であって、画像を第１の記憶部に一時的に格納し、撮影が許可される場合に、その画像を第２の記憶部に保存するようにした電子装置において、撮影を許可しないと判定されるとき、第１の記憶部に格納されている画像をダミー画像に変更して第２の記憶部に保存する構成としたものである。
【００７７】
図１８は、本発明の電子装置の第６の実施形態である携帯電話機を示している。この第６の実施形態に係る携帯電話機４０では、第２の実施形態（図７）のＦＬＡＳＨ５２の記憶部５２Ａにシャッター原音、その記憶部５２Ｂにダミー画像を格納したものである。この場合、ダミー画像のＬＣＤ８０への出力表示や、フレームバッファ８２、ＲＡＭ５３へのダミー画像の格納処理は画像処理部によって実行され、この画像処理部は例えば、制御部４２のプロセッサ４４で構成される。その他の構成は、第２の実施形態と同一であるので、同一符号を付し、その説明を省略する。
【００７８】
この第６の実施形態に係る携帯電話機４０について、撮影時の処理動作を図１９を参照して説明する。図１９は、盗撮防止に関する撮影制御方法及びそのプログラムの一例であるフローチャートを示している。
【００７９】
この実施形態においても、カメラ動作モードに移行させると、ファインダーモードが実行され（ステップＳ９１）、画像がＬＣＤ８０に表示される。ここで、カメラ動作モードを維持するか終了させるかを判定する（ステップＳ９２）。
【００８０】
また、カメラ動作モードが維持される場合には、キャプチャーモードに移行するか否かを判定する（ステップＳ９３）。この場合、シャッターボタン４８を半押し状態とすると、キャプチャーモードに移行し（ステップＳ９４）、この状態で、シャッターボタン４８の操作を打ち切ると、ファインダーモード（ステップＳ９１）に戻る。
【００８１】
キャプチャーモード（ステップＳ９４）を経て、撮影か否かを判定する（ステップＳ９５）。シャッターボタン４８を全押し状態としたとき、撮影動作としてシャッター操作が完了し、撮影報知部５４のスピーカ６８からシャッター音が出力される（ステップＳ９６）。このシャッター操作において、一回の操作で全押し状態とする場合には、その途上で半押し状態を通過し、途上の半押し状態でキャプチャーモードを通過し、撮影処理が行われる（ステップＳ９３〜９６）。そして、画像データは、フレームバッファ８２に一時的に格納される（ステップＳ９７）。
【００８２】
シャッター音は、マイクロホン７０に集音されて検出され、原音と比較される（ステップＳ９８）。即ち、シャッター音がディジタル信号に変換されて比較部５６に加えられ、ＦＬＡＳＨ５２から読み出されているシャッター原音と比較される。このシャッター音と原音は、周波数成分又はレベル、又はこれら双方を比較する。この比較結果により、撮影を許可するか否かが画像出力判定部６０で判定される（ステップＳ９９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存し（ステップＳ１００）、画像データがＲＡＭ５３に格納されたとき、フレームバッファ８２の画像データは消去される（ステップＳ１０２）。
【００８３】
また、判定結果により、撮影を禁止する場合には、ＦＬＡＳＨ５２から読み出したダミー画像をフレームバッファ８２の画像に重畳させ、又は原画像に代えてそのダミー画像をフレームバッファ８２に格納させる（ステップＳ１０１）。この改変画像をＲＡＭ５３に保存した後（ステップＳ１００）、フレームバッファ８２の改変画像を消去し（ステップＳ１０２）、ファインダーモード（ステップＳ９１）に戻る。
【００８４】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去し、ダミー画像に変換した後、記憶部として例えば、ＲＡＭ５３に保存させる。このような画像改変による画像の保存を行えば、不適正撮影の防止機能を強化することができるとともに、画像が保存されない場合にユーザが故障と誤認する不都合を防止できる。
【００８５】
この第６の実施形態に係る携帯電話機４０において、報知情報に光を使用して撮影を許可するか否か、即ち、第１の記憶部としてフレームバッファ８２に格納した画像をＲＡＭ５３に保存するか否かを判定する構成としてもよい。
【００８６】
（第７の実施形態）
【００８７】
本発明の第７の実施形態は、カメラ機能を備える電子装置であって、画像を第１の記憶部に一時的に格納し、撮影が許可される場合に、その画像を第２の記憶部に保存するようにした電子装置において、撮影を許可しない場合には、不適正撮影である等の表示をする構成としたものである。
【００８８】
図２０は、本発明の電子装置の第７の実施形態である携帯電話機を示している。この第７の実施形態に係る携帯電話機４０では、第２の実施形態（図７）のＦＬＡＳＨ５２の記憶部５２Ａにシャッター原音、その記憶部５２Ｂに表示情報を格納したものである。不適正撮影である旨の表示はＬＣＤ８０に提示されるが、この表示処理は表示処理部としての制御部４２によって実行される。その他の構成は、第２の実施形態と同一であるので、同一符号を付し、その説明を省略する。
【００８９】
この第７の実施形態に係る携帯電話機４０について、撮影時の処理動作を図２１を参照して説明する。図２１は、盗撮防止に関する撮影制御方法及びそのプログラムの一例であるフローチャートを示している。
【００９０】
この実施形態においても、カメラ動作モードに移行させると、ファインダーモードが実行され（ステップＳ１１１）、画像がＬＣＤ８０に表示される。ここで、カメラ動作モードを維持するか終了させるかを判定する（ステップＳ１１２）。
【００９１】
また、カメラ動作モードが維持される場合には、キャプチャーモードに移行するか否かを判定する（ステップＳ１１３）。この場合、シャッターボタン４８を半押し状態とすると、キャプチャーモードに移行し（ステップＳ１１４）、この状態で、シャッターボタン４８の操作を打ち切ると、ファインダーモード（ステップＳ１１１）に戻る。
【００９２】
キャプチャーモード（ステップＳ１１４）を経て、撮影か否かを判定する（ステップＳ１１５）。シャッターボタン４８を全押し状態としたとき、撮影動作としてシャッター操作が完了し、撮影報知部５４のスピーカ６８からシャッター音が出力される（ステップＳ１１６）。このシャッター操作において、一回の操作で全押し状態とする場合には、その途上で半押し状態を通過し、途上の半押し状態でキャプチャーモードを通過し、撮影処理が行われる（ステップＳ１１３〜１１６）。そして、画像データは、フレームバッファ８２に一時的に格納される（ステップＳ１１７）。
【００９３】
シャッター音は、マイクロホン７０に集音されて検出され、原音と比較される（ステップＳ１１８）。即ち、シャッター音がディジタル信号に変換されて比較部５６に加えられ、ＦＬＡＳＨ５２から読み出されているシャッター原音と比較される。このシャッター音と原音は、周波数成分又はレベル、又はこれら双方を比較する。この比較結果により、撮影を許可するか否かが画像出力判定部６０で判定される（ステップＳ１１９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存する（ステップＳ１２０）。
【００９４】
また、判定結果により、撮影を禁止する場合には、ＦＬＡＳＨ５２から読み出した表示情報によりＬＣＤ８０に不適正撮影である旨の表示をする（ステップＳ１２１）。この不適正撮影の表示としては、ＬＣＤ８０の表示面に、例えば、図２２に示すように、「不適正撮影」、「撮影を許可しません」等の表示をする。
【００９５】
そして、フレームバッファ８２からＲＡＭ５３に画像データを保存したとき（ステップＳ１２０）、フレームバッファ８２の画像を消去し（ステップＳ１２２）、ファインダーモード（ステップＳ１１１）に戻る。また、判定結果により、撮影を禁止し、ＬＣＤ８０に不適正撮影である旨の表示をしたときにも（ステップＳ１２１）、フレームバッファ８２の画像データを消去し（ステップＳ１２２）、ファインダーモード（ステップＳ１１１）に戻る。
【００９６】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去するとともに、不適正撮影である旨の画像表示を行うので、不適正撮影の防止機能の強化を図ることができる。
【００９７】
この第７の実施形態に係る携帯電話機において、報知情報に光を使用して撮影を許可するか否か、即ち、第１の記憶部としてフレームバッファ８２に格納した画像をＲＡＭ５３に保存するか否かを判定する構成としてもよい。
【００９８】
（第８の実施形態）
【００９９】
本発明の第８の実施形態は、カメラ機能を備える電子装置であって、画像を第１の記憶部に一時的に格納し、撮影が許可される場合に、その画像を第２の記憶部に保存するようにした電子装置において、撮影を禁止する場合に、不適正撮影である旨の音声メッセージを出力する構成としたものである。
【０１００】
図２３は、本発明の電子装置の第８の実施形態である携帯電話機を示している。この第８の実施形態に係る携帯電話機４０では、第２の実施形態（図７）のＦＬＡＳＨ５２の記憶部５２Ａにシャッター原音、その記憶部５２Ｂに音声報知情報を格納したものである。その他の構成は、第２の実施形態と同一であるので、同一符号を付し、その説明を省略する。
【０１０１】
この第８の実施形態に係る携帯電話機について、撮影時の処理動作を図２４を参照して説明する。図２４は、盗撮防止に関する撮影制御方法及びそのプログラムの一例であるフローチャートを示している。
【０１０２】
この実施形態においても、カメラ動作モードに移行させると、ファインダーモードが実行され（ステップＳ１３１）、画像がＬＣＤ８０に表示される。ここで、カメラ動作モードを維持するか終了させるかを判定する（ステップＳ１３２）。
【０１０３】
また、カメラ動作モードが維持される場合には、キャプチャーモードに移行するか否かを判定する（ステップＳ１３３）。この場合、シャッターボタン４８を半押し状態とすると、キャプチャーモードに移行し（ステップＳ１３４）、この状態で、シャッターボタン４８の操作を打ち切ると、ファインダーモード（ステップＳ１３１）に戻る。
【０１０４】
キャプチャーモード（ステップＳ１３４）を経て、撮影か否かを判定する（ステップＳ１３５）。シャッターボタン４８を全押し状態としたとき、撮影動作としてシャッター操作が完了し、撮影報知部５４のスピーカ６８からシャッター音が出力される（ステップＳ１３６）。このシャッター操作において、一回の操作で全押し状態とする場合には、その途上で半押し状態を通過し、途上の半押し状態でキャプチャーモードを通過し、撮影処理が行われる（ステップＳ１３３〜１３６）。そして、画像データは、フレームバッファ８２に一時的に格納される（ステップＳ１３７）。
【０１０５】
シャッター音は、マイクロホン７０に集音されて検出され、原音と比較される（ステップＳ１３８）。即ち、シャッター音がディジタル信号に変換されて比較部５６に加えられ、ＦＬＡＳＨ５２から読み出されているシャッター原音と比較される。このシャッター音と原音は、周波数成分又はレベル、又はこれら双方を比較する。この比較結果により、撮影を許可するか否かが画像出力判定部６０で判定される（ステップＳ１３９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存した後（ステップＳ１４０）、フレームバッファ８２の画像データを消去し（ステップＳ１４２）、ファインダーモード（ステップＳ１３１）に戻る。
【０１０６】
また、判定結果により、撮影を禁止する場合には、ＦＬＡＳＨ５２から読み出した音声報知情報を撮影報知部５４に加え、スピーカ６８から音声により、不適正撮影である旨の音声報知をし（ステップＳ１４１）、フレームバッファ８２の画像データを消去した後（ステップＳ１４２）、ファインダーモード（ステップＳ１３１）に戻る。
【０１０７】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去するとともに、不適正撮影である旨の音声報知を行うので、不適正撮影の防止機能の強化を図ることができる。
【０１０８】
この第８の実施形態に係る携帯電話機において、報知情報に光を使用して撮影を許可するか否か、即ち、第１の記憶部としてフレームバッファ８２に格納した画像をＲＡＭ５３に保存するか否かを判定する構成としてもよい。
【０１０９】
（第９の実施形態）
【０１１０】
本発明の第９の実施形態は、カメラ機能を備える電子装置であって、画像を第１の記憶部に一時的に格納し、撮影が許可される場合に、その画像を第２の記憶部に保存するようにした電子装置において、撮影を許可する場合において、撮影の許可、画像保存等のメッセージを出力する構成としたものである。
【０１１１】
図２５は、本発明の電子装置の第９の実施形態である携帯電話機を示している。この第９の実施形態に係る携帯電話機４０では、第２の実施形態（図７）のＦＬＡＳＨ５２の記憶部５２Ａにシャッター原音、その記憶部５２Ｂにメッセージ情報を格納したものである。この場合、メッセージ情報は、撮影の許可又は画像保存を報知する音声やメロディ等である。その他の構成は、第２の実施形態と同一であるので、同一符号を付し、その説明を省略する。
【０１１２】
この第９の実施形態に係る携帯電話機４０について、撮影時の処理動作を図２６を参照して説明する。図２６は、盗撮防止に関する撮影制御方法及びそのプログラムの一例であるフローチャートを示している。
【０１１３】
この実施形態においても、カメラ動作モードに移行させると、ファインダーモードが実行され（ステップＳ１５１）、画像がＬＣＤ８０に表示される。ここで、カメラ動作モードを維持するか終了させるかを判定する（ステップＳ１５２）。
【０１１４】
また、カメラ動作モードが維持される場合には、キャプチャーモードに移行するか否かを判定する（ステップＳ１５３）。この場合、シャッターボタン４８を半押し状態とすると、キャプチャーモードに移行し（ステップＳ１５４）、この状態で、シャッターボタン４８の操作を打ち切ると、ファインダーモード（ステップＳ１５１）に戻る。
【０１１５】
キャプチャーモード（ステップＳ１５４）を経て、撮影か否かを判定する（ステップＳ１５５）。シャッターボタン４８を全押し状態としたとき、撮影動作としてシャッター操作が完了し、撮影報知部５４のスピーカ６８からシャッター音が出力される（ステップＳ１５６）。このシャッター操作において、一回の操作で全押し状態とする場合には、その途上で半押し状態を通過し、途上の半押し状態でキャプチャーモードを通過し、撮影処理が行われる（ステップＳ１５３〜１５６）。そして、画像データは、フレームバッファ８２に一時的に格納される（ステップＳ１５７）。
【０１１６】
シャッター音は、マイクロホン７０に集音されて検出され、原音と比較される（ステップＳ１５８）。即ち、シャッター音がディジタル信号に変換されて比較部５６に加えられ、ＦＬＡＳＨ５２から読み出されているシャッター原音と比較される。このシャッター音と原音は、周波数成分又はレベル、又はこれら双方を比較する。この比較結果により、撮影を許可するか否かが画像出力判定部６０で判定される（ステップＳ１５９）。比較結果が一定の範囲内、シャッター音と原音の差分情報が一定範囲であれば、撮影を許可する判定をする。この判定結果により、撮影が許可された場合には、フレームバッファ８２内の画像データを保存することとし、フレームバッファ８２内の画像データをＲＡＭ５３に保存する（ステップＳ１６０）。
【０１１７】
ＲＡＭ５３に画像を保存したとき、ＦＬＡＳＨ５２から読み出したメッセージ情報を撮影報知部５４に出力し、スピーカ６８から音声又はメロディ等により、画像を保存する旨の音声報知をし（ステップＳ１６１）、フレームバッファ８２の画像を消去し（ステップＳ１６２）、ファインダーモード（ステップＳ１５１）に戻る。
【０１１８】
また、撮影を禁止する場合には（ステップＳ１５９）、撮影禁止処理を実行する（ステップＳ１６３）。この撮影禁止処理としては、例えば、フレームバッファ８２の原画像にモザイク画像の重畳（第５の実施形態）、フレームバッファ８２の原画像に代えてダミー画像の格納（第６の実施形態）、不適正撮影表示（第７の実施形態）、音声報知（第８の実施形態）等の何れかの処理又はこれら処理から選択された２以上の処理を実行し、フレームバッファ８２に格納されている画像を消去した後（ステップＳ１６２）、ファインダーモード（ステップＳ１５１）に戻る。
【０１１９】
以上説明したように、シャッター操作により一時的にフレームバッファ８２に格納された画像は、報知情報としてシャッター音を利用した判定結果により、撮影が許可される場合、ＲＡＭ５３に保存されるが、それ以外の場合には画像を消去するとともに、画像が保存される場合、それを表すメッセージを出力するので、不適正撮影の防止機能の強化を図ることができる。
【０１２０】
（第１０の実施形態）
【０１２１】
本発明の第１０の実施形態は、カメラ機能を備える電子装置において、対向側の電子装置に対し、撮影の報知、撮影許可等を求める報知情報を無線により送信する構成、撮影の可否を表す通知情報を受信する構成、その受信部が受信した通知情報を利用し、撮影を許可するか否かを判定する構成としたものである。また、この電子装置の対向側の電子装置は、前記報知情報を受信部で受信することにより、その報知情報を情報提示部に提示する構成としたものである。
【０１２２】
図２７は、本発明の電子装置の第１０の実施形態である携帯電話機を示している。この第１０の実施形態に係る携帯電話機４０Ａにおいて、Bluetooth 無線送受信部１００は、撮影を表す報知情報、又は撮影許可を求める報知情報を無線により送信する送信部であるとともに、撮影許可通知等の通知情報を無線により受信する受信部を構成し、報知情報を表す信号による搬送波の変調、受信信号から通知情報の復調等の処理が行われ、報知信号の送受が行われる。Bluetooth は、近距離間の無線通信規格であって、データ通信機能を無線で実現したものであり、伝送媒体には電波、超音波、音波、光等の無線媒体が用いられる。電波の送受信は入出力部１０２に接続されたアンテナ１０４を通して行われる。制御部４２にはBluetooth ベースバンド部１０６が設置され、このBluetooth ベースバンド部１０６では、Bluetooth における信号処理により、送信すべき報知情報、復調された通知情報の処理が行われる。Bluetooth 無線送受信部１００にはプロセッサ４４から送信情報として、撮影を表す情報、又は撮影許可を求める情報等の報知情報が加えられ、Bluetooth 無線送受信部１００から受信情報として撮影の可否を表す通知情報が取り出される。また、制御部４２には、撮影可否の判定手段として例えば、画像出力判定部１０８が設置され、この画像出力判定部１０８には、Bluetooth ベースバンド部１０６の出力が加えられている。画像出力判定部１０８では例えば、撮影の可否を表す通知情報を利用し、撮影の可否判定として、画像出力の判定が行われ、その判定出力がプロセッサ４４に加えられている。この実施形態では、画像出力判定部１０８の判定出力により、画像出力の可否を決定しているが、撮影の可否を決定するようにしてもよい。その他の構成は第１の実施形態（図３）と同様であり、同一符号を付してその説明を省略する。この場合、携帯電話機４０Ａに、第１の実施形態ないし第９の実施形態に記載した構成を併設してもよい。
【０１２３】
また、図２８は、本発明の電子装置の第１０の実施形態である携帯電話機として、携帯電話機４０Ａの対向側の携帯電話機４０Ｂを示している。この携帯電話機４０Ｂには、対向側の携帯電話機４０Ａ側と同様のBluetooth 無線送受信部１００、入出力部１０２、アンテナ１０４、バス５７、ＬＣＤ８０を備え、制御部４２にBluetooth ベースバンド部１０６及びプロセッサ４４を備えている。この場合、ＬＣＤ８０や図示しないスピーカ（例えば、図３に示すスピーカ６８）は、通知情報を被撮影者１１０に提示する情報提示部を構成する。報知情報を表すメッセージを認識した被撮影者１１０が発する撮影の許可や禁止を表す通知情報はキー１１２によりプロセッサ４４に加えられる。
【０１２４】
この第１０の実施形態に係る携帯電話機４０Ａ、４０Ｂについて、撮影時の処理動作を図２９を参照して説明する。図２９は、盗撮防止に関する撮影制御方法及びそのプログラムの一例であるフローチャートを示している。
【０１２５】
この実施形態においても、カメラ動作モードに移行させると、ファインダーモードが実行され（ステップＳ１７１）、画像がＬＣＤ８０に表示される。ここで、カメラ動作モードを維持するか終了させるかを判定する（ステップＳ１７２）。
【０１２６】
また、カメラ動作モードが維持される場合には、キャプチャーモードに移行するか否かを判定する（ステップＳ１７３）。この場合、シャッターボタン４８を半押し状態とすると、キャプチャーモードに移行し（ステップＳ１７４）、この状態で、シャッターボタン４８の操作を打ち切ると、ファインダーモード（ステップＳ１７１）に戻る。
【０１２７】
キャプチャーモード（ステップＳ１７４）を経て、撮影か否かを判定する（ステップＳ１７５）。シャッターボタン４８を全押し状態にしたとき、撮影が開始される。このシャッター操作において、一回の操作で全押し状態とする場合には、その途上で半押し状態を通過し、途上の半押し状態でキャプチャーモードを通過し、撮影処理が行われる（ステップＳ１７３〜１７６）。このとき、撮影許可確認の処理が行われ（ステップＳ１７６）、即ち、携帯電話機４０Ａ側（図２７）のプロセッサ４４から撮影を表す情報、又は撮影の許可を求める情報等の報知情報が出力され、Bluetooth ベースバンド部１０６及びBluetooth 無線送受信部１００を通してアンテナ１０４から送信される。対向側の携帯電話機４０Ｂ（図２８）では、その撮影の問合せを受信し（ステップＳ１７７）、その受信信号がBluetooth 無線送受信部１００及びBluetooth ベースバンド部１０６を通して報知情報として復調され、その報知情報がプロセッサ４４に加えられる。この報知情報により、携帯電話機４０ＢのＬＣＤ８０には、撮影情報又は撮影の許可を求める報知情報が提示され、被撮影者１１０が確認可能である。
【０１２８】
この報知情報を受けた被撮影者１１０からキー１１２等により、撮影を許可するか否かを表す通知情報が発せられ、この通知情報が制御部４２、Bluetooth 無線送受信部１００を通じて携帯電話機４０Ｂから携帯電話機４０Ａに送信される。
【０１２９】
携帯電話機４０Ａでは、撮影の可否を表す通知情報を受信し（ステップＳ１７８）、この通知情報により撮影を許可するか否かの判定が行われる（ステップＳ１７９）。この場合、撮影の可否を表す通知情報としては、積極的な応答として撮影許可又は撮影禁止を表す可否情報の他、応答しない通知の場合もあり、応答がない場合には被撮影者１１０の保護の立場から、例えば、撮影禁止とする。そこで、撮影が禁止される場合には、ファインダーモード（ステップＳ１７１）に戻り、撮影が許可される場合には、画像データを保存することとし、その画像データをＲＡＭ５３に保存する（ステップＳ１８０）。撮影を禁止する場合には、既述の第５又は第７の実施形態と同様に、例えば、フレームバッファ８２の原画像にモザイク画像の重畳等の画像の改変や不適正撮影表示等の後、フレームバッファ８２に格納されている画像を消去した後、ファインダーモード（ステップＳ１７１）に移行してもよい。
【０１３０】
この場合、ＲＡＭ５３に画像を保存したとき、第９の実施形態（図２５）のように、撮影報知部５４を備えることにより、撮影報知部５４にＦＬＡＳＨ５２から読み出したメッセージ情報を出力し、スピーカ６８から音声又はメロディ等により、画像を保存する旨の音声報知をし、フレームバッファ８２の画像を消去し、ファインダーモード（ステップＳ１７１）に戻るようにしてもよい。
【０１３１】
また、携帯電話機４０Ｂからの撮影の可否を表す通知情報に基づき、そのメッセージを携帯電話機４０ＡのスピーカやＬＣＤ８０に提示してもよい。
【０１３２】
以上説明したように、無線により対向側の携帯電話機４０Ｂに撮影を問い合わせ、その可否の通知情報を携帯電話機４０Ａ側で受け、その通知情報により撮影が許可されたか否かを判定し、撮影の可否、画像の保存の可否を決定するので、不適正撮影の防止機能の強化を図ることができる。
【０１３３】
この第１０の実施形態に係る携帯電話機において、報知情報に光を使用して撮影を許可するか否か、第２の実施形態のように、第１の記憶部としてフレームバッファ８２に格納した画像をＲＡＭ５３に保存するか否かを判定する構成としてもよい。
【０１３４】
（第１１の実施形態）
【０１３５】
本発明の第１１の実施形態に係る電子装置として、例えば、図３０及び図３１に示す折畳み式の携帯電話機４０を構成してもよい。図３０は携帯電話機４０の開状態を示す図、図３１はその背面図を示している。
【０１３６】
この携帯電話機４０は、本体部１１４とカバー部１１６とをヒンジ部１１８を介して開閉可能にしたものであり、本体部１１４には複数のキー１１２等からなる入力操作部１２０、マイクロフォン７０等が設けられているとともに、各実施形態で既述した制御部４２、撮影報知部５４、情報検出部５８、カメラセンサ６２、ＲＡＭ５３等、その他電話機能部等が内蔵されている。カバー部１１６にはスピーカ６８、表示部、情報提示部としての第１の表示部であるＬＣＤ８０、第１のカメラ１２２が設置されるとともに、光センサ８８が設置されている。その背面部には表示部、情報提示部としての第２の表示部であるＬＣＤ１２４が設置されるとともに、第２のカメラ１２６が設置されている。また、本体部１１４の背面部には、第２のスピーカ１２８が設置されている。
【０１３７】
このような構成によれば、この携帯電話機４０において、各実施形態で既述したように、撮影に際して発せられる報知情報である光やシャッター音を受信し、これら報知情報を利用し、撮影を許可するか否か、画像を保存するか否かを判定し、その判定により撮影を可能にし、画像の保存を可能にするので、スピーカ６８の配線を断線する等の改造では不適正撮影の防止機能を解除することが困難であり、盗撮等の不適正撮影の防止を強化することができる。
【０１３８】
また、この実施形態において、例えば、背面側のＬＣＤ１２４から発せられる光を光センサ８８で検出し、この光を撮影を許可するか否かの判定に利用してもよい。即ち、シャッター音や撮影のフラッシュ光を報知情報に用いるだけでなく、携帯電話機４０が正常時に発せられる光や音を報知情報として利用し、撮影の可否の判定に利用すれば、悪意の撮影者による盗撮等の不適正撮影を防止する契機とすることができ、不適正撮影の防止機能の強化を図ることができる。
【０１３９】
（第１２の実施形態）
【０１４０】
本発明の第１２の実施形態に係る電子装置として、例えば、図３２に示すノート型パーソナルコンピュータ等の情報処理装置を構成してもよい。図３２はノート型パーソナルコンピュータ１３０の斜視図を示している。
【０１４１】
このノート型パーソナルコンピュータ１３０は、本体部１３２とカバー部１３４とをヒンジ部１３６を介して開閉可能にしたものであり、本体部１３２には複数のキー１３８等からなる入力操作部１４０、マイクロフォン７０、スピーカ６８等が設けられているとともに、カメラ１４２が設置されている。このようなノート型パーソナルコンピュータ１３０においても、各実施形態で既述した撮影報知部５４、情報検出部５８、制御部４２等を備えて同様の処理を実行させれば、盗撮等の不適正撮影を防止できるとともに、その防止機能を強化することができる。
【０１４２】
（第１３の実施形態）
【０１４３】
既述の通り、本発明の電子装置にはディジタルカメラが包含されており、例えば、図３３及び図３４に示すように、ディジタルカメラを構成することができる。図３３はディジタルカメラの前面側の斜視図であり、図３４はその背面側の斜視図である。
【０１４４】
このディジタルカメラ１４４において、既述の実施形態と同一部分には同一符号を付し、その説明を省略する。この場合、ディジタルカメラ１４４の前面側にスピーカ６８やマイクロフォン７０が配置されている。
【０１４５】
このように構成されたディジタルカメラ１４４においても、既述の処理及び制御を実現でき、盗撮等の不適正撮影を抑制することができる。そして、スピーカ６８の接続線の切断する改造等による不適正撮影の防止対策の無力化を阻止することができる。
【０１４６】
（第１４の実施形態）
【０１４７】
既述の通り、本発明の電子装置には情報処理装置が包含され、例えば、図３５に示すように、カメラ機能を搭載したＰＤＡ（Personal Digital Assistants ）として構成することができる。
【０１４８】
このＰＤＡ１４６において、既述の実施形態と同様の構成を搭載しており、同一部分には同一符号を付し、その説明を省略する。このＰＤＡ１４６では、前面側に情報提示部としてのＬＣＤ８０、背面側にレンズ７６、スピーカ６８、マイクロフォン７０、側面側にシャッターボタン４８が設置されているとともに、その内側にカメラセンサ６２、その他、既述の実施形態に係る構成が設置されている。
【０１４９】
斯かる構成のＰＤＡ１４６においても、既述の処理及び制御を実現でき、盗撮等の不適正撮影を抑制することができ、スピーカ６８の接続線の切断する改造等による不適正撮影の防止対策の無力化を阻止することができる。
【０１５０】
（その他の実施形態）
【０１５１】
各実施形態では、シャッター音や、シャッター操作により発せられた光を報知情報とし、その報知情報を検出することにより、その判定結果を利用し、撮影を許可するか否か、画像を保存するか否かを判定しているが、報知情報には、シャッター音や、シャッター操作により発せられた光以外の音や光等の通常発せられる情報を報知情報に用いて撮影の可否や、画像の取込みの可否の判定に利用してもよい。斯かる構成とすれば、電子装置の改造による盗撮行為の防止機能を高め、セキュリティ機能の高い電子装置を提供することができる。
【０１５２】
また、第１０の実施形態の電子装置（図２８）では、被撮影者１１０が撮影の許可を求める報知情報に対し、その可否を表す通知情報を発する構成としたが、本発明は、携帯電話機４０Ａ（図２７）側から撮影を表す報知情報を受信した携帯電話機１０Ｂがその撮影報知を提示するだけの構成とし、その可否を通知しない構成としてもよい。
【０１５３】
また、盗撮等の不適正撮影の痕跡を残すためには、表示部に表示される不適正撮影等の表示を撮影画像としてフレームバッファ８２やＲＡＭ５３に格納するようにしてもよい。
【０１５４】
また、実施形態には、電子装置として携帯電話機、ノート型パーソナルコンピュータ、ディジタルカメラ、ＰＤＡを例示したが、本発明は、例示した機器以外のカメラ機能を搭載する各種の電子装置に適用可能である。
【０１５５】
以上述べたように、本発明の最も好ましい実施形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１５６】
本発明の電子装置は、カメラ機能を備える対向側の電子装置から送信される撮影許可又は撮影を表す報知情報を受信し、その報知情報を情報提示部に提示するので、被撮影者が携帯する電子装置の情報提示部に提示された報知情報により、盗撮等の不適正撮影を知ることができ、盗撮等の不適正撮影の防止機能の強化に寄与することができ、有用である。
【図面の簡単な説明】
【０１５７】
【図１】従来のカメラ付き携帯電話機を示すブロック図である。
【図２】従来のカメラ撮影時の処理動作を表したフローチャートを示す図である。
【図３】本発明の第１の実施形態に係る携帯電話機を示すブロック図である。
【図４】本発明の第１の実施形態に係る撮影制御方法及びそのプログラムの一例であるフローチャートを示す図である。
【図５】比較部の比較処理のフローチャートを示す図である。
【図６】比較部の比較処理のフローチャートを示す図である。
【図７】本発明の第２の実施形態に係る携帯電話機を示すブロック図である。
【図８】記憶装置の構成の一例を示すブロック図である。
【図９】本発明の第２の実施形態に係る撮影制御方法及びそのプログラムの一例であるフローチャートを示す図である。
【図１０】本発明の第３の実施形態に係る携帯電話機を示すブロック図である。
【図１１】本発明の第３の実施形態に係る撮影制御方法及びそのプログラムの一例であるフローチャートを示す図である。
【図１２】本発明の第４の実施形態に係る携帯電話機を示すブロック図である。
【図１３】本発明の第４の実施形態に係る撮影制御方法及びそのプログラムの一例であるフローチャートを示す図である。
【図１４】本発明の第５の実施形態に係る携帯電話機を示すブロック図である。
【図１５】本発明の第５の実施形態に係る撮影制御方法及びそのプログラムの一例であるフローチャートを示す図である。
【図１６】表示部に表示された画像を示す図である。
【図１７】表示部に表示されたモザイク画像の重畳画像を示す図である。
【図１８】本発明の第６の実施形態に係る携帯電話機を示すブロック図である。
【図１９】本発明の第６の実施形態に係る撮影制御方法及びそのプログラムの一例であるフローチャートを示す図である。
【図２０】本発明の第７の実施形態に係る携帯電話機を示すブロック図である。
【図２１】本発明の第７の実施形態に係る撮影制御方法及びそのプログラムの一例であるフローチャートを示す図である。
【図２２】不適正表示を表示した表示部の表示を示す図である。
【図２３】本発明の第８の実施形態に係る携帯電話機を示すブロック図である。
【図２４】本発明の第８の実施形態に係る撮影制御方法及びそのプログラムの一例であるフローチャートを示す図である。
【図２５】本発明の第９の実施形態に係る携帯電話機を示すブロック図である。
【図２６】本発明の第９の実施形態に係る撮影制御方法及びそのプログラムの一例であるフローチャートを示す図である。
【図２７】本発明の第１０の実施形態に係る携帯電話機を示すブロック図である。
【図２８】本発明の第１０の実施形態に係る対向側の携帯電話機を示すブロック図である。
【図２９】本発明の第１０の実施形態に係る撮影制御方法及びそのプログラムの一例であるフローチャートを示す図である。
【図３０】本発明の第１１の実施形態に係る携帯電話機を示す正面図である。
【図３１】図３０に示した携帯電話機の背面図である。
【図３２】本発明の第１２の実施形態に係るノート型パーソナルコンピュータを示す斜視図である。
【図３３】本発明の第１３の実施形態に係るディジタルカメラの前面側を示す斜視図である。
【図３４】本発明の第１３の実施形態に係るディジタルカメラの背面側を示す斜視図である。
【図３５】本発明の第１４の実施形態に係るＰＤＡを示す斜視図である。
【符号の説明】
【０１５８】
４０Ａ、４０Ｂ  携帯電話機
１０８  画像出力判定部
６８  スピーカ（情報提示部）
８０  ＬＣＤ（情報提示部）
１００  Bluetooth 無線送受信部（受信部）
【図１】
2006295958.tif 000003
【図２】
2006295958.tif 000004
【図３】
2006295958.tif 000005
【図４】
2006295958.tif 000006
【図５】
2006295958.tif 000007
【図６】
2006295958.tif 000008
【図７】
2006295958.tif 000009
【図８】
2006295958.tif 000010
【図９】
2006295958.tif 000011
【図１０】
2006295958.tif 000012
【図１１】
2006295958.tif 000013
【図１２】
2006295958.tif 000014
【図１３】
2006295958.tif 000015
【図１４】
2006295958.tif 000016
【図１５】
2006295958.tif 000017
【図１６】
2006295958.tif 000018
【図１７】
2006295958.tif 000019
【図１８】
2006295958.tif 000020
【図１９】
2006295958.tif 000021
【図２０】
2006295958.tif 000022
【図２１】
2006295958.tif 000023
【図２２】
2006295958.tif 000024
【図２３】
2006295958.tif 000025
【図２４】
2006295958.tif 000026
【図２５】
2006295958.tif 000027
【図２６】
2006295958.tif 000028
【図２７】
2006295958.tif 000029
【図２８】
2006295958.tif 000030
【図２９】
2006295958.tif 000031
【図３０】
2006295958.tif 000032
【図３１】
2006295958.tif 000033
【図３２】
2006295958.tif 000034
【図３３】
2006295958.tif 000035
【図３４】
2006295958.tif 000036
【図３５】
2006295958.tif 000037